(57)【要約】【課題】水槽前部の空間部に糸屑類が堆積しないドラム式洗濯乾燥機を提供すること。【解決手段】洗濯機筺体６１と、回転ドラム６３と、水槽６２と、水槽６２前部に設けた水槽開口端部９３の内周側に形成した円状の水槽開口部９２と、水槽６２の前部内面側に装着された環状壁８２と、環状壁８２の内周側に設けられ、水槽開口部９２を覆う環状ガイド板８３と、洗濯機筺体６１前面部に設けられた筺体開口部９８と水槽開口端部９３を連結するパッキング部材８５とを備え、水槽開口端部９３は、パッキング部材８５の一端を固着したフランジ８４を形成するとともに、フランジ８４根元の内周側に穴９４を形成し、かつ、穴９４から下方に断面コ字状で上側に開放のガイドリブ９５を立設し、ガイドリブ９５は環状ガイド板８３に形成したガイド穴９６を貫通することにより、フランジ８４根元への水滴溜りと、環状ガイド板８３内への糸屑類の堆積を防止できる。【選択図】図１
2012085842.tif 000002
【特許請求の範囲】
【請求項１】
洗濯機筺体と、水平方向から下向き傾斜方向に回転中心軸を有する回転ドラムと、前記回転ドラムを回転自在に内包する水槽と、前記水槽前部に設けた水槽開口端部の内周側に形成した円状の水槽開口部と、前記回転ドラムを回転駆動するモータと、前記水槽に連通した循環経路と接続された循環ポンプと、前記水槽の前部内面側に装着された環状壁と前記水槽とにより弧状に形成された環状流路と、前記環状壁の内周側に設けられ前記水槽開口部を覆う環状ガイド板と、前記環状流路と前記循環ポンプを接続する吐出側経路と、前記洗濯機筺体前面部に設けられた筺体開口部と前記水槽開口端部を連結するパッキング部材とを備え、前記水槽開口端部は、前記パッキング部材の一端を固着したフランジを形成するとともに、前記フランジの根元近傍に穴を形成し、かつ、前記穴から前記環状ガイド板に通じるガイドリブを設け、前記ガイドリブは前記環状ガイド板に形成したガイド穴を貫通するドラム式洗濯乾燥機。
【発明の詳細な説明】
【技術分野】
【０００１】
本発明は、水槽内に回転自在に配設した回転ドラム内で洗濯物を洗い、すすぎ、脱水、乾燥するドラム式洗濯乾燥機に関するものである。
【背景技術】
【０００２】
従来、この種のドラム式洗濯機では、回転ドラムが回転する時に、回転ドラム内の洗濯物が上方に飛び出して、非回転部分である水槽の開口縁部に当たって音を発したり、洗濯物が摩耗して破れたりするため、その開口縁部を保護する構成が提案されてきた（例えば、特許文献１参照）。
【０００３】
図５は、特許文献１に記載された従来のドラム式洗濯機の縦断面図、図６は、同洗濯機の要部断面図を示す。
【０００４】
図５、図６において、前方に円状の衣類投入口２５を有する回転ドラム５と、それを収容する水槽３とを正面側から背面側に向かって、水平方向から下向き方向に傾斜させて洗濯機筺体２内に配設し、洗濯機筺体２の正面を傾斜させた傾斜面に設けられた扉体８から回転ドラム５内への洗濯物の出し入れを容易にした構成をしている。
【０００５】
水槽３は、軸受１６を設けた水槽本体３ａと扉体８側の水槽蓋体３ｂとを連結した構造に形成され、水槽蓋体３ｂには、洗濯物出入口としての水槽開口部１４を設け、回転ドラム５の衣類投入口２５の内径も可能な限り大きく設定して衣類の出し入れ操作をしやすくしている。
【０００６】
また、洗濯機筺体２と水槽３の前部を、柔軟な弾性体によって構成されたパッキング部材１２にて水密的に連結し、かつ回転ドラム５の前端部と水槽蓋体３ｂの前端部の隙間には、ＳＵＳ（ステンレス）材等の環状覆い部材１１で覆うように構成している。そして、パッキング部材１２は、略円筒状に形成され、一端を水槽蓋体３ｂの水槽開口部１４に近接したフランジ６に、締結バンド２８にて固定し、他端を洗濯機筺体２の筺体開口部７近傍に固着した取付板１０に嵌着して保持されている。
【０００７】
以上の構成にて、回転ドラム５内に投入された洗濯物１３が、洗いや脱水行程中に、回転ドラム５の衣類投入口２５より扉体８側にはみ出した場合には、環状覆い部材１１の中央開口部２２に接触し、パッキング部材１２や、水槽開口部１４には接触しない構成となっている。
【先行技術文献】
【特許文献】
【０００８】
【特許文献１】特開２００８−２５３号公報
【発明の概要】
【発明が解決しようとする課題】
【０００９】
しかしながら、前記従来の構成では、水槽開口部１４に近接したフランジ６根元の角隅部に洗い時や乾燥時の水滴が溜まる構造になっており、これを抜くために、角隅部に穴を設け、さらに環状覆い部材１１内に落下した水を抜くために、環状覆い部材１１にも穴を設ける設計を行なうことが、一般的な最低基準の構成であり、図示されてはいないが、前記従来の構成もそういう設計がなされているはずである。しかし、一般的な設計では、水は抜くことは出来るが、乾燥時に洗濯物の回転で発生する糸屑類が、水槽開口部１４と環状覆い部材１１でできる空間部に溜まり堆積して、ひどくなると、その堆積した糸屑類が環状覆い部材１１を変形させて、回転ドラム５の衣類投入口２５との隙間Ｂを減少させ、回転ドラム５と接触する恐れがあるという課題があった。
【００１０】
本発明は、前記従来の課題を解決するもので、溜まった水とともに糸屑類も抜いて、糸屑類の堆積を防止できるドラム式洗濯乾燥機を提供することを目的とする。
【課題を解決するための手段】
【００１１】
前記従来の課題を解決するために本発明のドラム式洗濯乾燥機は、洗濯機筺体と、水平方向から下向き傾斜方向に回転中心軸を有する回転ドラムと、前記回転ドラムを回転自在に内包する水槽と、前記水槽前部に設けた水槽開口端部の内周側に形成した円状の水槽開口部と、前記回転ドラムを回転駆動するモータと、前記水槽に連通した循環経路と接続された循環ポンプと、前記水槽の前部内面側に装着された環状壁と前記水槽とにより弧状に形成された環状流路と、前記環状壁の内周側に設けられ前記水槽開口部を覆う環状ガイド板と、前記環状流路と前記循環ポンプを接続する吐出側経路と、前記洗濯機筺体前面部に設けられた筺体開口部と前記水槽開口端部を連結するパッキング部材とを備え、前記水槽開口端部は、前記パッキング部材の一端を固着したフランジを形成するとともに、前記フランジの根元近傍に穴を形成し、かつ、前記穴から前記環状ガイド板に通じるガイドリブを設け、前記ガイドリブは前記環状ガイド板に形成したガイド穴を貫通するようにしたものである。
【００１２】
これによって、水槽前部の水槽開口端部上に水滴が溜まるのを防止すると共に、環状ガイド板と水槽開口端部との間の空間部に、乾燥時に発生する糸屑類が堆積して、環状ガイド板を変形させるのを防止することができる。
【発明の効果】
【００１３】
本発明のドラム式洗濯乾燥機は、回転ドラムより洗濯物が飛び出した時に洗濯物やパッキング部材あるいは水槽開口部を保護するための環状ガイド板内に、乾燥時に発生する糸屑類が堆積して、環状ガイド板を変形させるのを防止することができる。
【図面の簡単な説明】
【００１４】
【図１】本発明の実施の形態に係るドラム式洗濯乾燥機の縦断面図
【図２】同ドラム式洗濯乾燥機の要部（循環水噴射部）断面図
【図３】同ドラム式洗濯乾燥機の要部（水、糸屑類抜き部）断面図
【図４】同ドラム式洗濯乾燥機の要部（水、糸屑類抜き部）裏面斜視図
【図５】従来のドラム式洗濯機の縦断面図
【図６】同ドラム式洗濯機の要部断面図
【発明を実施するための形態】
【００１５】
第１の発明は、洗濯機筺体と、水平方向から下向き傾斜方向に回転中心軸を有する回転ドラムと、前記回転ドラムを回転自在に内包する水槽と、前記水槽前部に設けた水槽開口端部の内周側に形成した円状の水槽開口部と、前記回転ドラムを回転駆動するモータと、前記水槽に連通した循環経路と接続された循環ポンプと、前記水槽の前部内面側に装着された環状壁と前記水槽とにより弧状に形成された環状流路と、前記環状壁の内周側に設けられ前記水槽開口部を覆う環状ガイド板と、前記環状流路と前記循環ポンプを接続する吐出側経路と、前記洗濯機筺体前面部に設けられた筺体開口部と前記水槽開口端部を連結するパッキング部材とを備え、前記水槽開口端部は、前記パッキング部材の一端を固着したフランジを形成するとともに、前記フランジの根元近傍に穴を形成し、かつ、前記穴から前記環状ガイド板に通じるガイドリブを設け、前記ガイドリブは前記環状ガイド板に形成したガイド穴を貫通することにより、水槽前部の水槽開口端部上に水滴が溜まるのを防止すると共に、環状ガイド板と水槽開口端部との間の空間部に、乾燥時に発生する糸屑類が堆積して、環状ガイド板を変形させるのを防止することができる。
【００１６】
以下、本発明の実施の形態について、図面を参照しながら説明する。なお、この実施の形態によって本発明が限定されるものではない。
【００１７】
（実施の形態１）
図１は、本発明の実施の形態におけるドラム式洗濯機の縦断面図を示すものである。
【００１８】
図１に示すように、洗濯機筺体６１の内部に揺動自在に水槽６２が配設され、前記水槽６２内には、回転ドラム６３が回転自在に配設され、回転ドラム６３は、水槽６２の背面に外側より取り付けられたモータ６４により回転駆動される。
【００１９】
また、本発明のドラム式洗濯機は、モード設定や制御プログラムに従い、図１に示すモータ６４、給水系６５、排水系６６、乾燥系６７などを自動制御して少なくとも洗い行程、すすぎ行程、脱水行程、乾燥行程を行う機能を有したいわゆるドラム式洗濯乾燥機を構成している。
【００２０】
給水系６５は、給水弁（図示せず）の開閉によって実線矢印Ａで示すように水槽６２内部に適時に給水でき、また給水を利用して洗剤収容部７７の洗剤を洗濯水と共に水槽６２内に適時に投入できるようになっている。
【００２１】
排水系６６は、排水弁６８の開閉によって洗い行程終了時、すすぎ行程終了時など必要なときに一点鎖線矢印Ｂで示すように、水槽６２の下部に接続された排水管６９を介し、糸屑類を捕集し外部から取り外し可能の排水フィルタ７０を通過した後、機外に排水できるようになっている。
【００２２】
回転ドラム６３は、略水平方向または水平方向から下向きに傾斜となるように配した回転軸７１により水槽６２の外底部に固着したモータ６４に直結され、回転駆動する事により、前方の扉７２部より回転ドラム６３に投入された衣類の撹拌たたき洗いを行う。
【００２３】
乾燥系６７は、水槽６２および回転ドラム６３内の空気を送風機７３によって図１の破線矢印Ｃで示すように循環させる。乾燥系６７内には、糸屑類を捕集し除塵するフィルタ（図示せず）、除塵後の導入空気を除湿する除湿部（図示せず）、除湿後の空気を加熱して渇いた高温空気とする加熱部（図示せず）等を有する。
【００２４】
また、上記に併せ、洗い準備行程時、洗い行程時、すすぎ行程時など必要に応じ、循環系水路７４にて水槽６２内の水を循環させて洗剤の早期溶け込みや偏りの防止、洗いやすすぎの機能向上を図る機能を有している。
【００２５】
この循環系水路７４は、例えば洗い行程中に、回転速度可変のモータからなる循環ポンプ７５を駆動させることで、水槽６２内の水を、底部の排水管６９を介し、排水フィルタ７０を通過させ、循環経路７６の循環ポンプ７５への流入側経路７８、循環ポンプ７５、および循環経路７６の循環ポンプ７５からの吐出側経路７９を介して、水槽６２前部に形成した複数の噴射穴８０より、矢印Ｄで示す循環水として回転ドラム６３内に噴射する。
【００２６】
ここで、水槽６２前部内面側には、吐出側経路７９の循環ポンプ７５と反対側の接続口８８と連通する環状流路８１が、水槽６２と環状壁８２により円周状に形成されており、この環状壁８２の内周側円周上に複数個形成された前述の噴射穴８０より、環状壁８２の内周側に設けた環状ガイド板８３の裏面に沿って、循環水が回転ドラム６３内に噴射される。循環水噴射部近傍の詳細については、図２で後述する。
【００２７】
なお、この環状ガイド板８３は、噴射された循環水を所定の方向、形状に導くガイドの役目と同時に、水槽６２の前部内周側に設けてあるため、回転する回転ドラム６３内の衣類が飛び出してきた時に衣類や、水槽６２前部の水槽開口部９２などを保護する役目をしており、この環状ガイド板８３に衣類が接触すると、回転摩擦熱により、環状ガイド板８３表面が損傷し、それにより衣類も損傷する恐れもあることから、衣類損傷防止のために、環状ガイド板８３は、融点が高く耐熱性に優れていると共に、成形性にも優れているＳＰＳ樹脂（シンジオタックポリスチレン樹脂）で形成されている。また、この環状ガイド板８３内周下部と回転ドラム６３前部の衣類投入口９７との隙間は、可能な限り小さく形成してある。
【００２８】
また、扉７２は、洗濯機筺体６１前面部の筺体開口部９８（図２で後述）と水槽６２前部の水槽開口端部９３に形成したフランジ８４との間を連結した防振と水封の役目をするパッキング部材８５を介して密閉し、また開くことができるようにしている。
【００２９】
運転コース等のモードや各種機能の選択は、洗濯機筺体６１の前面上部に設けられる操作パネル８６から入力して行い、制御手段８７がその入力情報を基に操作パネル８６上の表示手段（図示せず）で表示して使用者に知らせるとともに、操作パネル８６での入力設定手段（図示せず）により運転開始が設定されると、水槽６２内の水位を検知する水位検知手段（図示せず）等からのデータを入力して、モータ６４、排水弁６８、循環ポンプ７５、給水弁（図示せず）などの動作を制御し、洗い、すすぎ、脱水、乾燥行程などの運転を行う。
【００３０】
図２は、要部（循環水噴射部）断面図、図３は、要部（水、糸屑類抜き部）断面図、図４は、要部（水、糸屑類抜き部）裏面斜視図を示すものである。
【００３１】
図２において、洗い行程およびすすぎ行程中に、循環ポンプ７５の動作により、吐出側経路７９を通過してきた水槽６２からの循環水は、実線矢印で示すように、水槽６２の前部下側へ移っていき、接続口８８から、水槽６２と環状壁８２により形成された環状流路８１内へ流入される。環状流路８１内へ流入した循環水は、環状壁８２内周側円周上に複数個形成された噴射穴８０より、環状ガイド板８３裏面の湾曲面部８９に沿って、実線矢印Ｄで示すように、回転ドラム６３内に噴射される。
【００３２】
環状壁８２内周部および外周部には、２本のリブにより形成された溝にシール材９０、９１が装着され、環状壁８２と水槽６２とで形成した環状流路８１からの水漏れを防止している。
【００３３】
また、前述のように、洗濯機筺体６１前面部の筺体開口部９８と水槽６２前部の水槽開口端部９３との間をパッキング部材８５で連結し、一端は水槽開口端部９３に形成されたフランジ８４に固着され、他端は筺体開口部９８近傍に固着した取付板９９に嵌着されている。
【００３４】
図３の要部（水、糸屑類抜き部）断面図、図４の同裏面斜視図において、水槽６２前部の水槽開口端部９３の、パッキング部材８５を固着したフランジ８４部の内周側根元の角隅部には、穴９４とその穴９４から下方に立接した断面コ字状で上側に開放のガイドリブ９５が形成され、ガイドリブ９５は、環状ガイド板８３に形成したガイド穴９６を貫通している。
【００３５】
以上のように構成されたドラム式洗濯機について、以下その動作、作用を説明する。
【００３６】
洗い、すすぎ行程において、回転ドラム６３内で洗濯物が洗濯水と共に撹拌され、回転ドラム６３の前部から、洗濯水の一部が水槽６２前部の水槽開口端部９３まで飛んできて、フランジ８４根元の角隅部に溜まってくるが、この洗濯水は、水槽開口端部９３に形成した穴９４からガイドリブ９５を伝って、水槽６２内に落下し、排水時に洗濯水と共に、排水管６９から排水弁６８を介して、機外へ排水される。
【００３７】
また、乾燥行程において、回転ドラム６３内で洗濯物が乾燥用空気と共に撹拌され、この時に洗濯物から発生した糸屑類が水槽６２前部の水槽開口端部９３まで飛んでくるが、この糸屑類も、穴９４からガイドリブ９５を伝って、水槽６２内に落下し、循環する乾燥用空気と共に再び乾燥系６７内に入り、糸屑類を捕集し除塵するフィルタ（図示せず）にて捕集される。
【００３８】
また、脱水行程においては、前述のように、回転する回転ドラム６３内の洗濯物が飛び出してきた時には、融点が高く耐熱性に優れたＳＰＳ樹脂で成形された環状ガイド板８３にて、洗濯物や水槽６２前部の水槽開口部９２などを保護する。
【００３９】
以上のように本実施の形態においては、水槽６２前部の水槽開口端部９３に形成したフランジ８４根元に、穴９４とガイドリブ９５を形成して、そのガイドリブ９５を、環状ガイド板８３に形成したガイド穴９６を貫通させることにより、水槽開口端部９３上に水滴が溜まるのを防止すると共に、環状ガイド板８３と水槽６２の水槽開口端部９３との間の空間部に、乾燥時に発生する糸屑類が堆積して、環状ガイド板８３を変形させるのを防止することができる。
【産業上の利用可能性】
【００４０】
以上のように、本発明にかかるドラム式洗濯乾燥機は、水槽前部の構造により、水滴や糸屑類の堆積防止が可能となるので、その他の洗濯機等の用途に適用できる。
【符号の説明】
【００４１】
６１  洗濯機筺体
６２  水槽
６３  回転ドラム
６４  モータ
７５  循環ポンプ
７６  循環経路
７９  吐出側経路
８１  環状流路
８２  環状壁
８３  環状ガイド板
８４  フランジ
８５  パッキング部材
９２  水槽開口部
９３  水槽開口端部
９４  穴
９５  ガイドリブ
９６  ガイド穴
９８  筺体開口部
【図１】
2012085842.tif 000003
【図２】
2012085842.tif 000004
【図３】
2012085842.tif 000005
【図４】
2012085842.tif 000006
【図５】
2012085842.tif 000007
【図６】
2012085842.tif 000008